(57)【特許請求の範囲】
【請求項１】
戸板に固定され戸板の開閉方向へ延びてレールの内部に侵入する板形の取付片と、取付片に差込み取付けが可能な差込溝が設けられレールの内部を非転動でスライドするガイド部材とを備え、取付片とガイド部材の差込溝との間に取付片に差込み取付けされたガイド部材の離脱を阻止する抜止め構造が設けられ、
前記ガイド部材は、中心にＵ字形の差込溝が設けられた２股形からなり、２股の足部の下端部の差込溝側には、下端側へ向けて拡がるテーパ面がそれぞれ設けられ、
前記抜止め構造は、前記取付片に形成されている長方形の窓及び前記２股の足部のそれぞれに設けられ前記窓と上下方向で係合可能に構成された平台形であり下端部は前記テーパ面と連続するテーパ面となっている突起の組合せ、または、前記取付片の上端部に形成されている矢印形状の山部及び前記差込溝に形成され前記山部と上下方向で係合可能に構成された矢印形状の段部の組合せから構成されることを特徴とする引戸の案内構造。
【請求項２】
請求項１の引戸の案内構造において、取付片とガイド部材の差込溝との間に取付片に差込み取付けされたガイド部材の取付片に沿った移動を阻止するずれ止め構造が設けられていることを特徴とする引戸の案内構造。
【請求項３】
請求項２の引戸の案内構造において、ずれ止め構造は抜止め構造を兼用していることを特徴とする引戸の案内構造。
【請求項４】
請求項１〜３のいずれかの引戸の案内構造において、ガイド部材は取付片への差込み取付けの際に差込溝が拡開する弾性を有していることを特徴とする引戸の案内構造。
【発明の詳細な説明】
【０００１】
【発明の属する技術分野】
本発明は、戸板の非荷重側の開閉を案内する引戸の案内構造に係る技術分野に属する。
【０００２】
【従来の技術】
一般に、引戸の案内構造では、レールの内部をスライドするガイド部材として、ローラ等の転動構造からなるものとシュー等の非転動構造からなるものとが提供されている。ローラ等の転動構造からなるものは、構造が複雑になるため、シュー等の非転動構造からなるものに比して価格が高くなる傾向がある。このため、低価格を指向する引戸の案内構造では、ガイド部材としてシュー等の非転動構造からなるものが選択される傾向がある。
【０００３】
従来、非転動構造からなるガイド部材を備えた引戸の案内構造としては、例えば、特開平１０−２０３７６４号公報に記載のものが知られている。
【０００４】
この従来の引戸の案内構造は、戸板に固定された取付片にガイド部材であるシューが支持された支持片をネジ止で固定してなる。
【０００５】
【発明が解決しようとする課題】
前述の従来の引戸の案内構造では、取付片へのガイド部材の取付けに支持片，ネジを必要とすることから、部材点数が多く構造が複雑であるため、低価格化を充分に達成することができないという問題点がある。また、ネジ止で取付片にガイド部材を取付けるため、取付片へのガイド部材の取付作業が面倒であるという問題点がある。
【０００６】
本発明は、このような問題点を考慮してなされたもので、低価格化を充分に達成することができ、取付片へのガイド部材の取付作業が容易である引戸の案内構造を提供することを課題とする。
【０００７】
【課題を解決するための手段】
前述の課題を解決するため、本発明に係る引戸の案内構造は、次のような手段を採用する。
【０００８】
即ち、請求項１では、戸板に固定され戸板の開閉方向へ延びてレールの内部に侵入する板形の取付片と、取付片に差込み取付けが可能な差込溝が設けられレールの内部を非転動でスライドするガイド部材とを備え、取付片とガイド部材の差込溝との間に取付片に差込み取付けされたガイド部材の離脱を阻止する抜止め構造が設けられてなる。
【０００９】
この手段では、前述の従来例の取付片，支持片が取付片に一体化されネジが省略されることで、部材点数が削減され構造が簡素化されている。また、ガイド部材がワンタッチで取付片に差込み取付けされる。
【００１０】
また、請求項２では、請求項１の引戸の案内構造において、取付片とガイド部材の差込溝との間に取付片に差込み取付けされたガイド部材の取付片に沿った移動を阻止するずれ止め構造が設けられていることを特徴とする。
【００１１】
この手段では、ずれ止め構造によってガイド部材の取付片に沿った移動が阻止される。
【００１２】
また、請求項３では、請求項２の引戸の案内構造において、ずれ止め構造は抜止め構造を兼用していることを特徴とする。
【００１３】
この手段では、ずれ止め構造，抜止め構造が一体化される。
【００１４】
また、請求項４では、請求項１〜３のいずれかの引戸の案内構造において、ガイド部材は取付片への差込み取付けの際に差込溝が拡開する弾性を有していることを特徴とする。
【００１５】
この手段では、ガイド部材の差込溝が弾性で拡開して取付片へ差込まれる。
【００１６】
【発明の実施の形態】
以下、本発明に係る引戸の案内構造の実施の形態を図面に基づいて説明する。
【００１７】
図１〜図５は、本発明に係る引戸の案内構造の実施の形態（１）を示すものである。
【００１８】
この実施の形態では、上部吊りの引違い式の引戸の非荷重側である下部側に適用したものを示してある。
【００１９】
この実施の形態は、戸板Ｐが床面Ｆの側端に設けられたピットに配置され、戸板Ｐの下端面に取付片１がネジ２で固定され、床面Ｆの側端に下向きのレールＲが配設されている。
【００２０】
戸板Ｐに固定された取付片１は、戸板Ｐの開閉方向へ延びＬ字形に屈曲されてレールＲの内部に侵入する長板材からなる。取付片１のレールＲの内部に侵入する侵入部分１１は、レールＲの上端部に到達しない侵入深さの平板形に形成されている。この侵入部分１１には、図２に示すように、上端から少し下方の位置に長方形の窓１２が開口されている。この窓１２は、取付片１の前後方向（長さ方向）に間隔を介して少なくとも２つ配置される。
【００２１】
レールＲの内部を非転動でスライドするガイド部材３は、弾性，平滑性を有する合成樹脂材で中心にＵ字形の差込溝３１が設けられた２股形からなる。２股の足部３２の下端部の差込溝３１側には、下端側へ向けて拡がるテーパ面３３がそれぞれ設けられている。２股の足部３２の下端部近くの差込溝３１を形成する内壁には、取付片１の窓１２に対応した平台形の突起３４がそれぞれ設けられている。この突起３４の前後の長さは、図５に示すように、足部３２の前後の長さよりも短くなっている。また、この突起３４の下端部は、足部３２の下端部のテーパ面３３と連続するテーパ面３５となっている。２股の足部３２が集合する基部３６は、レールＲとの接触摩擦を低減する湾曲形に形成されている。
【００２２】
この実施の形態によると、前述の従来例の取付片，支持片が取付片１に一体化されネジが省略されている。従って、部材点数が削減され構造が簡素化されているため、低価格化を充分に達成することができることになる。
【００２３】
取付片１の侵入部分１１の窓１２が開口されている位置にガイド部材３の差込溝３１を差込むことで、取付片１にガイド部材３を取付けることができる。従って、取付片へのガイド部材の取付作業がワンタッチとなって容易になる。
【００２４】
取付片１へのガイド部材３の差込溝３１の差込みでは、取付片１の侵入部分１１の上端部へのガイド部材３のテーパ面３３の当接によって、ガイド部材３の２股の足部３２が弾性で拡開される。従って、取付片１へのガイド部材３の取付けが円滑に行われる。なお、ガイド部材３の突起３４の下端部のテーパ面３５は、２股の足部３２の拡開をさらに継続して、取付片１へのガイド部材３の取付けの円滑性に寄与する。
【００２５】
取付片１にガイド部材３が取付けられると、図３に示すように、取付片１の窓１２とガイド部材３の突起３４とが上下方向で係合して、取付片１に差込み取付けされたガイド部材３の離脱を阻止する抜止め構造が構成される。従って、取付片１に差込み取付けされレールＲの内部をスライドするガイド部材３が簡単に離脱することがない。また、図５に示すように、取付片１の窓１２とガイド部材３の突起３４とが前後方向でも係合するため、取付片１に差込み取付けされたガイド部材３の取付片１に沿った移動を阻止するずれ止め構造が構成される。従って、取付片１に差込み取付けされレールＲの内部をスライドするガイド部材３が簡単にずれることがない。
【００２６】
図６〜図９は、本発明に係る引戸の案内構造の実施の形態（２）を示すものである。
【００２７】
この実施の形態では、前述の実施の形態（１）の取付片１の侵入部分１１の上端部に矢印形状の山部１３が形成され窓１２が省略されている。また、取付片１に形成された山部１３の一部（前述の実施の形態（１）の窓１２の位置に対応している。）に少しの前後幅が除去されて切欠部１４が形成されている。
【００２８】
さらに、この実施の形態では、前述の実施の形態（１）のガイド部材３の差込溝３１に取付片１の山部１３に対応した矢印形状の段部３７が形成されている。また、ガイド部材３の２股の足部３２の前後の中心の少しの幅（差込溝３１，段部３７を含んで）が除去され、除去箇所の基部３６から立方体形の突隆部３８（前後幅が取付片１の切欠部１４の前後幅に一致している。）が下方に向けて突出されている。
【００２９】
この実施の形態によると、前述の実施の形態（１）と同様の作用，効果が奏される。ただし、抜止め構造については、取付片１の山部１３とガイド部材３の段部３７とで構成される。また、ずれ止め構造については、取付片１の切欠部１４とガイド部材３の突隆部３８とで構成される。
【００３０】
さらに、この実施の形態によると、ガイド部材３の２股の足部３２の前後の中心の少しの幅が除去されているため、レールＲとの接触摩擦が低減される。
【００３１】
以上、図示した実施の形態の外に、図示省略するが、たとえば引違い式以外の引戸や下部支え引戸の非荷重側である上部側に前記図示した下部側と同様に適用することも可能である。
【００３２】
さらに、戸板Ｐの下端部に直線的に配設された取付片１に適用することも可能である。
【００３３】
【発明の効果】
以上のように、本発明に係る引戸の案内構造は、前述の従来例の取付片，支持片が取付片に一体化されネジが省略されることで、部材点数が削減され構造が簡素化されているため、低価格化を充分に達成することができる効果がある。
【００３４】
さらに、ガイド部材がワンタッチで取付片に差込み取付けされるため、取付片へのガイド部材の取付作業が容易である効果がある。
【図面の簡単な説明】
【図１】  本発明に係る引戸の案内構造の実施の形態（１）を示す側面図である。
【図２】  図１の要部の取外し状態の拡大斜視図である。
【図３】  図２の取付け状態の縦断面図である。
【図４】  図２の取付け状態の他の切断線に沿った縦断面図である。
【図５】  図３，図４の切断線に直交する切断線に沿った図２の取付け状態の縦断面図である。
【図６】  本発明に係る引戸の案内構造の実施の形態（２）を示す要部の取外し状態の拡大斜視図である。
【図７】  図６の取付け状態の縦断面図である。
【図８】  図６の取付け状態の他の切断線に沿った縦断面図である。
【図９】  図７，図８の切断線に直交する切断線に沿った図６の取付け状態の縦断面図である。
【符号の説明】
１            取付片
１２          窓（抜止め構造，ずれ止め構造）
１３          山部（抜止め構造）
１４          切欠部（ずれ止め構造）
３            ガイド部材
３１          差込溝
３４          突起（抜止め構造，ずれ止め構造）
３７          段部（抜止め構造）
３８          突隆部（ずれ止め構造）
Ｐ            戸板
Ｒ            レール
【図１】
0004878706.tif 000002
【図２】
0004878706.tif 000003
【図３】
0004878706.tif 000004
【図４】
0004878706.tif 000005
【図５】
0004878706.tif 000006
【図６】
0004878706.tif 000007
【図７】
0004878706.tif 000008
【図８】
0004878706.tif 000009
【図９】
0004878706.tif 000010